(57)【要約】【課題】金属、非金属などの異なる２種の壁面パネルのコーナー連結を可能とする壁面パネルのコーナー連結構造を提供する。【解決手段】コーナー部の裏面側から、連結用リブ３に沿わせて固着される第１連結片５ｂおよび第１連結片５ｂに略直角に折曲して延設され中空柱４の側端片４ａの外面にあてがわれる第２連結片５ａを有したコーナー連結具５と、中空柱４の側端片４ａの内側にあてがうように挿入する内組ジョイナー６と、第２連結片５ａ、側端片４ａおよび内組ジョイナー６とを結合する複数の結合ピン１０とからなり、第２連結片５ａ、側端片４ａのそれぞれには、複数の係止孔１１、１２、１３が長手方向に沿って隔設され、側端片４ａを第２連結片５ａと内組ジョイナー６との間に挟み込んだ状態で、複数の結合ピン１０を内組ジョイナー６に固定し、それぞれの係止孔１１、１２に複数の結合ピンを係合させる。【選択図】図１
2006090019.tif 000002
【特許請求の範囲】
【請求項１】
側端部の裏面側にパネル材の一部を折曲して形成した縦方向の連結用リブを備えた第１壁面パネルと、側端部の裏面側に縦方向の中空柱を一体に備えた第２壁面パネルとをコーナー部において直交状態に連結する構造であって、
上記コーナー部の裏面側から、上記連結用リブに沿わせて固着される第１連結片およびこの第１連結片に略直角に折曲して延設され上記中空柱の側端片の外面にあてがわれる第２連結片を有したコーナー連結具と、上記中空柱の側端片の内側にあてがうように挿入する内組ジョイナーと、上記第２連結片、上記中空柱の側端片および上記内組ジョイナーとを結合する複数の結合ピンとからなり、
上記第２連結片、上記中空柱の側端片のそれぞれには、複数の係止孔が長手方向に沿って隔設され、
上記中空柱の側端片を上記第２連結片と上記内組ジョイナーとの間に挟み込んだ状態で、上記複数の結合ピンを上記内組ジョイナーに固定し、上記第２連結片、上記中空柱の側端片のそれぞれの係止孔に、上記複数の結合ピンを係合させることを特徴とする壁面パネルのコーナー連結構造。
【請求項２】
請求項１において、
上記第１連結片は、上記連結用リブにネジ着される構造になっており、
かつ、上記第２連結片側係止孔および上記中空柱の側端片側係止孔は、径大部分と径小部分とが連続するだるま孔からなるとともに、上記第２連結片側係止孔および上記中空柱の側端片側係止孔の各径小部分を上記結合ピンで固着する構造にしていることを特徴とする壁面パネルのコーナー連結構造。
【請求項３】
請求項１または２において、
上記コーナー連結具は、上記第１連結片の上記第２連結片とは反対側に、略直角に折曲して延設されたガイド片をさらに形成した構造となっていることを特徴とする壁面パネルのコーナー連結構造。
【発明の詳細な説明】
【技術分野】
【０００１】
本発明は、浴室ユニット等のコーナー部で隣接する異種の壁面パネルの連結構造に関するものである。
【背景技術】
【０００２】
従来の浴室ユニットでは、１種類の壁面パネルを各壁に配置した構成となっており、コーナー部で隣接する壁面パネル間はその壁面パネル用の連結用部材で固定される。図５（ａ）（ｂ）は、従来の壁面パネルのコーナー連結構造の例を示す説明図である。
【０００３】
図５（ａ）は、金属基材の表面を樹脂シートで覆った壁面パネル（以下、第１壁面パネル）１００同士のコーナー部での連結状態を室内側から見た要部の斜視図である。本例の第１壁面パネル１００は、その側端部に延出される表面化粧板としての上記金属基材を裏面側に直角に折曲し、更に折り返して他側端部側に向くよう形成された縦方向の山形突条部からなる連結部１０１を備えている。そして、コーナー部では、隣接する両第１壁面パネル１００の連結部１０１に、鈎形に折曲形成された１対の係止片２０１を有する連結用ジョイナー２００でスナップ式に抱え込むようにして装着することにより、両第１壁面パネル１００、１００がコーナー連結される。図例では、連結用ジョイナー２００を背後から圧嵌めするようにしている。
【０００４】
また、図５（ｂ）は、基材をセメント板とした壁面パネル（以下、第２壁面パネルという）３００同士のコーナー部での連結状態を室外側から見た要部の斜視図である。各第２壁面パネル３００は、その側端部裏面に固着一体とされた縦方向の中空柱３０１を備えており、断面Ｌ字形のジョイナー４００をコーナー部の両第２壁面パネル３００の中空柱３０１にねじ４０１にて止着することにより、両第２壁面パネル３００、３００がコーナー連結される。この場合、ねじ４０１による止着の他に、だるま孔と突起との契合により中空柱３０１とジョイナー４００との連結がなされることもある。
【０００５】
また、特許文献１には、種類の異なる壁面パネルにも対応した連結構造が示されている。
【特許文献１】特開平１０−２６６４２１号公報
【発明の開示】
【発明が解決しようとする課題】
【０００６】
ところで、浴室ユニットでは、上記のように同種の壁面パネルを全壁面に配置することが一般的であるが、上記の特許文献でも開示されているように、近年、ユニットにおける壁面を設置場所等の条件に応じて、異なる種類のものを組み合わせ構築することが望まれるようになった。しかし、上記のようなジョイナー２００、４００は１種類の壁面パネル同士を連結するようにしか構成されておらず、上記要望に応えることができなかった。
【０００７】
なお、上記特許文献で開示されている連結構造は、断面Ｌ字形の連結部材を使用したものであるが、金属パネルと枠パネルとの連結を対象としたものであり、上記第１壁面パネル１００と上記第２壁面パネル３００とのコーナー部連結を実現するものではない。
【０００８】
本発明は、このような事情に鑑みなされたもので、その目的は、例えば金属、非金属の２種の壁面パネルであっても、そのコーナー連結を可能とする壁面パネルのコーナー連結構造を提供することにある。
【課題を解決するための手段】
【０００９】
上記目的を達成するために、請求項１に記載の壁面パネルのコーナー連結構造は、側端部の裏面側にパネル材の一部を折曲して形成した縦方向の連結用リブを備えた第１壁面パネルと、側端部の裏面側に縦方向の中空柱を一体に備えた第２壁面パネルとをコーナー部において直交状態に連結する構造であって、コーナー部の裏面側から、連結用リブに沿わせて固着される第１連結片およびこの第１連結片に略直角に折曲して延設され中空柱の側端片の外面にあてがわれる第２連結片を有したコーナー連結具と、中空柱の側端片の内側にあてがうように挿入する内組ジョイナーと、第２連結片、中空柱の側端片および内組ジョイナーとを結合する複数の結合ピンとからなり、第２連結片、中空柱の側端片のそれぞれには、複数の係止孔が長手方向に沿って隔設され、中空柱の側端片を第２連結片と内組ジョイナーとの間に挟み込んだ状態で、複数の結合ピンを内組ジョイナーに固定し、第２連結片、中空柱の側端片のそれぞれの係止孔に複数の結合ピンを係合させることを特徴とする。
【００１０】
請求項２では、請求項１において、第１連結片は連結用リブにネジ着される構造になっており、かつ、第２連結片側係止孔および中空柱の側端片側係止孔は、径大部分と径小部分とが連続するだるま孔からなり、かつ内組ジョイナー側係止孔は径小部分と略同径の丸孔からなるとともに、第２連結片側係止孔および中空柱の側端片側係止孔の各径小部分と、内組ジョイナーの丸孔とを、結合ピンで固着する構造にしていることを特徴とする。
【００１１】
請求項３では、請求項１または２において、コーナー連結具は、第１連結片の第２連結片とは反対側に略直角に折曲して延設されたガイド片をさらに形成した構造となっていることを特徴とする。
【発明の効果】
【００１２】
請求項１の発明に係る壁面パネルのコーナー連結構造によれば、第１壁面パネル側は、コーナー連結具の第１連結片とねじ等で固着し、一方、第２壁面パネル側は、第２壁面パネルの中空柱の側端片を、コーナー連結具の第２連結片と内組ジョイナーとの間に挟み込んだ状態で、結合ピンを係止孔に装着して係合させるようにしているので、種類の異なる２つの第１、第２壁面パネルをコーナー部で連結することができる。
【００１３】
請求項２では、第２連結片側係止孔および上記中空柱の側端片側係止孔が、だるま孔であるため、内組ジョイナーを中空柱に挿入した状態で結合ピンを内組ジョイナーの係止孔にねじ止着しておけば、そのあと、だるま孔の径小部分に移動させるよう内組ジョイナーを下方に押し込んでやれば、第２壁面パネルとコーナー連結具とは強固に結合し、そのため、両パネルはコーナー連結具を介してより強固に結合連結される。
【００１４】
請求項３では、コーナー連結具の第１連結片側に、略直角に折曲したガイド片を延設しているので、第１壁面パネルとコーナー連結具とのずれ、すなわち連結用リブと第１連結片とのずれを防止することができる。また、このガイド片は連結用リブの保護カバーともなる。
【発明を実施するための最良の形態】
【００１５】
以下に本発明の最良の実施の形態について、図面に基づいて説明する。図１は本発明の壁面パネルのコーナー連結構造の一例を示す横断面図、図２はコーナー連結具を第２壁面パネルに結合する要領を示す斜視図である。図３はコーナー連結具を第１、第２壁面パネルに対して取り付けた状態を示す斜視図であり、（ａ）はコーナー連結具と第２壁面パネルとを仮結合した段階を、（ｂ）は結合した状態を示している。また、図４はユニットバスルームの一例を示す平面図である。なお、以下に説明する第１壁面パネルＷ１は、基材が金属板（鋼板）で形成されたものであり、第２壁面パネルＷ２は、基材がセメント板などの非金属材料で形成されたものである。
【実施例１】
【００１６】
本発明のコーナー連結構造が適用されるユニットバスルームの概略を図４に基づき説明する。図４では、４面の壁面のうち１面を第２壁面パネルＷ２で、他の３面を第１壁面パネルＷ１で形成するようにしたものを示している。すなわち、図中、コーナーＡ、Ｂでは、第１、第２壁面パネルＷ１、Ｗ２を相互に連結させる必要がある。
【００１７】
ここに、第１壁面パネルＷ１の代表的なものは、アルミ亜鉛鋼板などの金属板を基材として、その表面にＰＥＴ樹脂などの表面化粧層を形成し、裏面にベースフレームを一体形成し、基材の両側端部を折曲して、縦方向の連結用リブを形成したものが採用される。また、第２壁面パネルＷ２は、特殊なセメント板などを基材として、その表面にベースコート層、トップコート層を形成し、裏面にバックコート層を形成し、両側端部のバックコート層の裏に、補強、連結の為に、アルミニウムなどで成型された縦方向の中空柱を溶接や接着で取り付けた構造のものが採用される。これらの詳細構造は後述する。
【００１８】
第１壁面パネルＷ１と第２壁面パネルＷ２とは、以上のような構造的差異があるが、その構造上の特徴から、第２壁面パネルＷ２は、第１壁面パネルＷ１よりも厚肉に形成されているのが一般的である。すなわち、両壁面パネルＷ１、Ｗ２は、連結すべきパネル側端部の形状に大きな差異があり、それぞれの側端部に合った形状の連結用部材を必要とするものである。本発明のコーナー連結構造はコーナーＡ、Ｂに適用されるものであるが、コーナーＣ、Ｄでは同種の壁面パネルの連結となるため、ここには従来の連結構造が採用される。
【００１９】
図１において、第１壁面パネルＷ１は、板金加工等により成形されたベースフレーム（不図示）に、上記のように化粧仕上げがなされた表面化粧板としての金属製パネル材（基材）１を一体として構成されている。そのパネル材１の側端部には、裏面側に直角に折り曲げられて折曲形成基部３ａとされ、さらに、この折曲形成基部３ａが第１壁面パネルＷ１の他側端部側に向くよう山形状に折り返されて縦方向の突条部３ｂとされており、これら折曲形成基部３ａと突条部３ｂとで、第２壁面パネルＷ２と連結するための連結用リブ３を構成している。
【００２０】
一方、第２壁面パネルＷ２は、上記のように表面化粧仕上げがなされたセメント板２と、その側端部裏面に固着一体とされたアルミニウム等の押出あるいは板金加工により成形された縦方向の中空柱４とより構成されている。
【００２１】
このように構造の異なる２種類の第１壁面パネルＷ１、第２壁面パネルＷ２は、コーナー部において、コーナー連結具５および内組ジョイナー６とを介して、図１（連結構造図）に示すように連結される。以下、その連結の要領について詳述する。
【００２２】
コーナー連結具５は、第１壁面パネルＷ１の側端部すなわち連結用リブ３の折曲形成基部３ａにパネル裏面側より沿わせて固着される第１連結片５ｂと、第２壁面パネルＷ２の側端部すなわち中空柱４の側端片４ａにパネル裏面側より沿わせて固着される第２連結片５ａと、第１連結片５ｂから直角にすなわち第１壁面パネルＷ１（パネル材１）と平行に折り曲げられたガイド片５ｃとを、図２、図３に示すように、長手方向に形成したものである。なお、この連結具５は、金属板を打ち抜き折り曲げて一体形成されたものであるが、金属以外の素材で製されてもよい。
【００２３】
図１の断面図で示すように、ガイド片５ｃとして折り曲げられ箇所は、折曲形成基部３ａから突条部３ｂに折り返された箇所と一致しており、ねじ止めによるものとともに、連結用リブ３と第１連結片５ｂとの間にずれが出ることを防止している。
【００２４】
第１連結片５ｂは、長手方向に沿って適宜間隔ごとに、ねじ用の丸孔１４が複数開設されている。また、第１壁面パネルＷ１の側端部である連結用リブ３の折曲形成基部３ａにも同間隔で丸孔１６が開設されており、それらの丸孔１４、１６を合わせて、ねじまたはボルトで止着できるようになっている（図１〜図３参照）。
【００２５】
また、第２連結片５ａは、第２壁面パネルＷ２との結合用に設けられた連結片であり、中空柱４の側端片４ａにパネル裏面側よりあてがわれて、内組ジョイナー６および後述する結合ピン１０とが協働して、コーナー連結具５、第２壁面パネルＷ２間を結合するものである。
【００２６】
本発明では、この第２壁面パネルＷ２とコーナー連結具５との間の結合に最大の特徴を有しており、その結合手順について、図２、図３を参照しながら説明する。
【００２７】
第２壁面パネルＷ２側では、第２連結片５ａ、中空柱４の側端片４ａおよび内組ジョイナー６の３層を、結合ピン１０によって結合させるようにしている。
【００２８】
この内組ジョイナー６は、中空柱４の中空部に挿入するもので、断面Ｌ字形で１辺が中空柱４の側端片４ａと接するような結合片６ａが形成されている。そして、この結合片６ａには、長手方向に沿って適宜間隔ごとに、ねじ着用の係止孔１１（丸孔）が複数開設されている。なお、この内組ジョイナー６も、コーナー連結具５と同様に金属等で製されている。
【００２９】
また、第２連結片５ａには、内組ジョイナー６の係止孔１１に対する同位置に、係止用の複数のだるま孔１２が開設されている。このだるま孔１２は、径大部分１２ａと径小部分（長孔部分）１２ｂとが上下に連続する孔であり、より正確には、径小部分１２ｂが内組ジョイナー６の係止孔１１の位置に合致したものである。また同様に、中空柱４の側端片４ａにも、同位置に、略同サイズの、径大部分１３ａと径小部分（長孔部分）１３ｂとからなるだるま孔１３が複数開設されている。
【００３０】
図２に示すように、まず内組ジョイナー６を、係止孔１１、１１・・・の位置と、側端片４ａの係止孔（だるま孔）１２、１２・・・の径大部分１２ａ、１２ａ・・・の位置とが合うように挿入する。この状態で、先端部分にねじ山が形成された結合ピン１０、１０・・・を、係止孔（丸孔）１１、１１・・・に対して順次螺入してゆく。
【００３１】
なお、図例では、第１壁面パネルＷ１と第２壁面パネルＷ２は、説明の都合上それぞれ個別にコーナー連結具５と連結するように描かれているが、両パネルＷ１、Ｗ２を床パン（不図示）に立設した状態で、内組ジョイナー６の挿入およびその後の連結作業を進めることが、施工性のうえで望ましい。
【００３２】
内組ジョイナー６に対して結合ピン１０を止着した状態で、コーナー連結具５を中空柱４の側端片４ａの外側にあてがう。つまり、内組ジョイナー６にねじ止めした結合ピン１０の頭が、第２連結片５ａの各だるま孔１３、１３・・・から飛び出た状態となるようにあてがう。その結果、コーナー連結具５と第２壁面パネルＷ２とは仮結合の状態となる（図３（ａ）参照）。
【００３３】
その後、図３（ａ）の矢印方向より、内組ジョイナー６の上端をハンマー等で叩き込み、内組ジョイナー６を下動させると、結合ピン１０の胴部分が、だるま孔１２、１３の径小部分１２ｂ、１３ｂに嵌まり込む。結合ピン１０は、その胴部分がだるま孔１２、１３と強く契合し、コーナー連結具５、中空柱４および内組ジョイナー６は強固に結合連結される。この場合、図例のように、結合ピン１０を頭部を径大としたコーン状にすれば、係合したときにはだるま孔１３の径小部分１３ｂの周辺に対してより強力な力が作用するため、さらに強固に連結することができる。
【００３４】
一方、第１壁面パネルＷ１とコーナー連結具５とは、上述した方法で連結結合される。そして最後に、図１に示すＸ部に湿式のコーキング材（目地材）を充填すれば、第１壁面パネルＷ１および第２壁面パネルＷ２のコーナー連結が完了する。
【００３５】
このように、第１壁面パネルＷ１および第２壁面パネルＷ２のコーナー連結は、きわめて簡単かつ確実になされる。したがって、異なる種類の壁面パネルを用いてユニットバスルーム等を組立構築したいという要望に応えることができ、設置場所等に応じた壁面パネルの選択的使用により、多様なユニットバスルーム等の組立構築を実現することができる。
【図面の簡単な説明】
【００３６】
【図１】本発明の壁面パネルのコーナー連結構造の一例を示す横断面図である。
【図２】コーナー連結具を第２壁面パネルに結合する要領を示す斜視図である。
【図３】コーナー連結具を第１、第２壁面パネルに対して取り付けた状態を示す斜視図であり、（ａ）はコーナー連結具と第２壁面パネルとを仮結合した段階を、（ｂ）は結合した状態を示している。
【図４】ユニットバスルームの一例を示す平面図である。
【図５】（ａ）は基材をセメント板とした壁面パネル同士のコーナー部での連結状態を室外側から見た要部の斜視図、（ｂ）は金属基材の表面を樹脂シートで覆った壁面パネル同士のコーナー部での連結状態を室内側から見た要部の斜視図である。
【符号の説明】
【００３７】
Ｗ１      第１壁面パネル
Ｗ２      第２壁面パネル
１      金属パネル
２      セメント板
３      連結用リブ
３ａ      折曲形成基部
４      中空柱
４ａ      側端片
５      コーナー連結具
５ａ      第２連結片
５ｂ      第１連結片
５ｃ      ガイド片
６      内組ジョイナー
６ａ      結合片
１０      結合ピン
１１      係止孔（丸孔）
１２      係止孔（中空柱のだるま孔）
１３      係止孔（第２連結片のだるま孔）
１４      第１連結片の丸孔
１５      ねじ
１６      折曲形成基部の丸孔
【図１】
2006090019.tif 000003
【図２】
2006090019.tif 000004
【図３】
2006090019.tif 000005
【図４】
2006090019.tif 000006
【図５】
2006090019.tif 000007